(57)【要約】  磁気センサは、平面視にて矩形状の基板(１１０)と、基板(１１０)上に設けられた少なくとも１つの第１磁気抵抗素子(１２０ａ，１２０ｂ)を備える。第１磁気抵抗素子(１２０ａ，１２０ｂ)は、平面視にて外形が矩形であるパターンを有する。上記パターンは、平面視にて、上記パターンの中心から放射状に延びて上記パターンの外縁に接近している複数の第１スリット、および、互いに隣接する第１スリット同士の間に位置して上記パターンの外縁から上記パターンの中心に向かって延びている複数の第２スリットが設けられていることによって、上記パターンの外縁と中心との間を交互に向きを変えながら上記パターンの中心の周りを一周するように繋がっている。
2016013346.tif 000002
【特許請求の範囲】
【請求項１】
平面視にて矩形状の基板と、
前記基板上に設けられた少なくとも１つの第１磁気抵抗素子を備え、
前記第１磁気抵抗素子は、平面視にて外形が矩形であるパターンを有し、
前記パターンは、平面視にて、前記パターンの中心から放射状に延びて前記パターンの外縁に接近している複数の第１スリット、および、互いに隣接する該第１スリット同士の間に位置して前記パターンの前記外縁から前記パターンの前記中心に向かって延びている複数の第２スリットが設けられていることによって、前記パターンの前記外縁と前記中心との間を交互に向きを変えながら前記パターンの前記中心の周りを一周するように繋がっている、磁気センサ。
【請求項２】
前記第１磁気抵抗素子を複数備え、
複数の前記第１磁気抵抗素子は、互いに電気的に接続されてブリッジ回路を構成している、請求項１に記載の磁気センサ。
【請求項３】
前記第１磁気抵抗素子より抵抗変化率が小さい少なくとも１つの第２磁気抵抗素子をさらに備え、
前記第１磁気抵抗素子および前記第２磁気抵抗素子は、互いに電気的に接続されてブリッジ回路を構成している、請求項１または２に記載の磁気センサ。
【請求項４】
前記第２磁気抵抗素子は、複数の曲部を有して折り返した少なくとも１つの単位パターンを含み、
前記単位パターンは、１０μｍ以上の長さの直線状延在部を含まない、請求項３に記載の磁気センサ。
【請求項５】
前記第２磁気抵抗素子は複数の前記単位パターンを含み、
複数の前記単位パターンは、仮想円上に配置されて互いに接続されている、請求項４に記載の磁気センサ。
【請求項６】
前記第２磁気抵抗素子は複数の前記単位パターンを含み、
複数の前記単位パターンは、仮想多角形上に配置されて互いに接続されている、請求項４に記載の磁気センサ。
【発明の詳細な説明】
【技術分野】
【０００１】
本発明は、磁気センサに関し、特に、磁気抵抗素子を含む磁気センサに関する。
【背景技術】
【０００２】
磁界検出の等方性の向上を図った磁気センサを開示した先行文献として、特開平１１−２７４５９８号公報(特許文献１)、特開平９−１０２６３８号公報(特許文献２)、国際公開第２０１３／１７１９７７号(特許文献３)、特開２０１２−８８２２５号公報(特許文献４)、および、特開２０１３−２５０１８２号公報(特許文献５)がある。【０００３】
特許文献１に記載された磁気センサにおいては、磁気抵抗素子のパターンが螺旋状である。螺旋状のパターンの両端部は、それぞれ反対側に位置する最外部に形成されている。磁気抵抗素子のパターンは、実質的に湾曲部のみから形成されている。【０００４】
特許文献２に記載された磁気センサにおいては、磁気抵抗素子は、渦巻状に複数巻に巻回されて円形状をなすとともに、外部磁界に対して等方位的に成膜形成されている。【０００５】
特許文献３に記載された磁気センサにおいては、ブリッジ回路の複数の磁気抵抗素子はそれぞれ、全体として磁界検出方向とは実質的に直交する方向に沿った複数本の部分が所定間隔で平行に並んで、順次折り返すように連結されると共に、上記複数本の部分はそれぞれ、磁界検出方向に沿った複数本の部分が所定間隔で平行に並んで、順次折り返すように連結されて、電気的に接続されたつづら折り状に形成されている。【０００６】
特許文献４に記載された磁気センサは、直径の異なる半円弧状のパターンを連続的につなげた形状である２つの磁気抵抗素子が並列に接続されて構成されている。【０００７】
特許文献５に記載された磁気センサにおいては、正八角形の第１センシング部の中心と正八角形の第２センシング部の中心とが一致しており、第２センシング部の外側に第１センシング部が配置されている。第２センシング部の第２磁気抵抗素子の線状のレイアウトは、第１センシング部の第１磁気抵抗素子の線状のレイアウトに対して２２．５°傾けられている。
【先行技術文献】
【特許文献】
【０００８】
【特許文献１】特開平１１−２７４５９８号公報
【特許文献２】特開平９−１０２６３８号公報
【特許文献３】国際公開第２０１３／１７１９７７号
【特許文献４】特開２０１２−８８２２５号公報
【特許文献５】特開２０１３−２５０１８２号公報
【発明の概要】
【発明が解決しようとする課題】
【０００９】
特許文献１〜４に記載された磁気センサは、平面視にて矩形状の基板を有している。そのため、磁気抵抗素子の平面視における外形が矩形以外である場合、磁気抵抗素子の周囲が余分なスペースになりやすい。よって、磁気センサをさらに小形にできる余地がある。【００１０】
特許文献３〜５に記載された磁気センサにおいては、磁界検出の等方性についてさらに向上できる余地がある。【００１１】
本発明は上記の問題点に鑑みてなされたものであって、磁界検出の等方性を向上した小形の磁気センサを提供することを目的とする。
【課題を解決するための手段】
【００１２】
本発明に基づく磁気センサは、平面視にて矩形状の基板と、基板上に設けられた少なくとも１つの第１磁気抵抗素子を備える。第１磁気抵抗素子は、平面視にて外形が矩形であるパターンを有する。上記パターンは、平面視にて、上記パターンの中心から放射状に延びて上記パターンの外縁に接近している複数の第１スリット、および、互いに隣接する第１スリット同士の間に位置して上記パターンの外縁から上記パターンの中心に向かって延びている複数の第２スリットが設けられていることによって、上記パターンの外縁と中心との間を交互に向きを変えながら上記パターンの中心の周りを一周するように繋がっている。【００１３】
本発明の一形態においては、磁気センサは、第１磁気抵抗素子を複数備える。複数の第１磁気抵抗素子は、互いに電気的に接続されてブリッジ回路を構成している。【００１４】
本発明の一形態においては、磁気センサは、第１磁気抵抗素子より抵抗変化率が小さい少なくとも１つの第２磁気抵抗素子をさらに備える。第１磁気抵抗素子および第２磁気抵抗素子は、互いに電気的に接続されてブリッジ回路を構成している。【００１５】
本発明の一形態においては、第２磁気抵抗素子は、複数の曲部を有して折り返した少なくとも１つの単位パターンを含む。単位パターンは、１０μｍ以上の長さの直線状延在部を含まない。【００１６】
本発明の一形態においては、第２磁気抵抗素子は複数の上記単位パターンを含む。複数の上記単位パターンは、仮想円上に配置されて互いに接続されている。【００１７】
本発明の一形態においては、第２磁気抵抗素子は複数の上記単位パターンを含む。複数の上記単位パターンは、仮想多角形上に配置されて互いに接続されている。
【発明の効果】
【００１８】
本発明によれば、磁気センサを小形にしつつ磁界検出の等方性を向上できる。
【図面の簡単な説明】
【００１９】
【図１】本発明の実施形態１に係る磁気センサのブリッジ回路を構成する４つの磁気抵抗素子のパターンを示す平面図である。
【図２】本発明の実施形態１に係る磁気センサの等価回路図である。
【図３】本発明の実施形態１に係る磁気センサのブリッジ回路における磁気抵抗素子と配線との接続部の積層構造を示す断面図である。
【図４】本発明の実施形態１に係る磁気センサの第１磁気抵抗素子のパターンを示す平面図である。
【図５】本発明の実施形態１に係る磁気センサの第２磁気抵抗素子が有するパターンを示す平面図である。
【図６】本発明の実施形態１に係る磁気センサの第２磁気抵抗素子が有するパターンに含まれる単位パターンを示す平面図である。
【図７】本発明の実施形態１に係る磁気センサ１００に対する外部磁界の印加方向を水平方向において２２．５°間隔で０°〜３３７．５°まで変更して、外部磁界の強さと磁気センサ１００の出力との関係を求めた実験結果を示すグラフである。
【図８】本発明の実施形態２に係る磁気センサの第２磁気抵抗素子が有するパターンを示す平面図である。
【図９】本発明の実施形態２に係る磁気センサの第２磁気抵抗素子が有するパターンに含まれる単位パターンを示す平面図である。
【発明を実施するための形態】
【００２０】
以下、本発明の各実施形態に係る磁気センサについて図を参照して説明する。以下の実施形態の説明においては、図中の同一または相当部分には同一符号を付して、その説明は繰り返さない。
【００２１】
(実施形態１)
図１は、本発明の実施形態１に係る磁気センサのブリッジ回路を構成する４つの磁気抵抗素子のパターンを示す平面図である。図２は、本発明の実施形態１に係る磁気センサの等価回路図である。
【００２２】
図１，２に示すように、本発明の実施形態１に係る磁気センサ１００は、平面視にて矩形状の基板１１０と、基板１１０上に設けられ、互いに電気的に接続されてホイートストンブリッジ型のブリッジ回路を構成する４つの磁気抵抗素子を備える。４つの磁気抵抗素子は、２つの第１磁気抵抗素子１２０ａ，１２０ｂ、および、２つの第２磁気抵抗素子１３０ａ，１３０ｂを含む。
【００２３】
２つの第１磁気抵抗素子１２０ａ，１２０ｂの各々の抵抗変化率より、２つの第２磁気抵抗素子１３０ａ，１３０ｂの各々の抵抗変化率は小さい。２つの第１磁気抵抗素子１２０ａ，１２０ｂの各々は、外部磁界が印加されることによって電気抵抗値が変化するいわゆる感磁抵抗である。２つの第２磁気抵抗素子１３０ａ，１３０ｂの各々は、外部磁界が印加されてもほとんど電気抵抗値が変化しない固定抵抗である。
【００２４】
４つの磁気抵抗素子は、基板１１０上に形成された配線によって互いに電気的に接続されている。具体的には、第１磁気抵抗素子１２０ａと第２磁気抵抗素子１３０ａとが配線１４６によって直列に接続されている。第１磁気抵抗素子１２０ｂと第２磁気抵抗素子１３０ｂとが配線１５０によって直列に接続されている。
【００２５】
磁気センサ１００は、基板１１０上にそれぞれ形成された、中点１４０、中点１４１、電源端子(Ｖｃｃ)１４２、接地端子(Ｇｎｄ)１４３および出力端子(Ｏｕｔ)１４４をさらに備える。
【００２６】
第１磁気抵抗素子１２０ａおよび第２磁気抵抗素子１３０ｂの各々は、中点１４０に接続されている。具体的には、第１磁気抵抗素子１２０ａと中点１４０とが配線１４５によって接続され、第２磁気抵抗素子１３０ｂと中点１４０とが配線１５２によって接続されている。
【００２７】
第１磁気抵抗素子１２０ｂおよび第２磁気抵抗素子１３０ａの各々は、中点１４１に接続されている。具体的には、第１磁気抵抗素子１２０ｂと中点１４１とが配線１４９によって接続され、第２磁気抵抗素子１３０ａと中点１４１とが配線１４８によって接続されている。
【００２８】
配線１４６は、電流が入力される電源端子(Ｖｃｃ)１４２に接続されている。配線１５０は、接地端子(Ｇｎｄ)１４３に接続されている。
【００２９】
図２に示すように、磁気センサ１００は、差動増幅器１６０、温度補償回路１６１、ラッチおよびスイッチ回路１６２、並びに、ＣＭＯＳ(Complementary  Metal  Oxide  Semiconductor)ドライバ１６３をさらに備える。
【００３０】
差動増幅器１６０は、入力端が中点１４０および中点１４１の各々に接続され、出力端が温度補償回路１６１に接続されている。また、差動増幅器１６０は、電源端子(Ｖｃｃ)１４２および接地端子(Ｇｎｄ)１４３の各々に接続されている。
【００３１】
温度補償回路１６１は、出力端がラッチおよびスイッチ回路１６２に接続されている。また、温度補償回路１６１は、電源端子(Ｖｃｃ)１４２および接地端子(Ｇｎｄ)１４３の各々に接続されている。
【００３２】
ラッチおよびスイッチ回路１６２は、出力端がＣＭＯＳドライバ１６３に接続されている。また、ラッチおよびスイッチ回路１６２は、電源端子(Ｖｃｃ)１４２および接地端子(Ｇｎｄ)１４３の各々に接続されている。
【００３３】
ＣＭＯＳドライバ１６３は、出力端が出力端子(Ｏｕｔ)１４４に接続されている。また、ＣＭＯＳドライバ１６３は、電源端子(Ｖｃｃ)１４２および接地端子(Ｇｎｄ)１４３の各々に接続されている。
【００３４】
磁気センサ１００が上記の回路構成を有することにより、中点１４０と中点１４１との間に、外部磁界の強さに依存する電位差が発生する。この電位差があらかじめ設定された検出レベルを超えると、出力端子(Ｏｕｔ)１４４から信号が出力される。
【００３５】
図３は、本発明の実施形態１に係る磁気センサのブリッジ回路における磁気抵抗素子と配線との接続部の積層構造を示す断面図である。図３においては、磁気抵抗素子として機能する領域Ｒと、配線として機能する領域Ｌとの接続部のみ図示している。
【００３６】
図３に示すように、４つの磁気抵抗素子は、ＳｉＯ2層またはＳｉ3Ｎ4層などが表面に設けられた、Ｓｉなどからなる基板１１０上に形成されている。４つの磁気抵抗素子は、基板１１０上に設けられた、ＮｉとＦｅとを含む合金からなる磁性体層１０が、ミーリングによりパターニングされることにより形成されている。
【００３７】
配線は、基板１１０上に設けられた、ＡｕまたはＡｌなどからなる導電層２０が、ウエットエッチングによりパターニングされることにより形成されている。導電層２０は、磁性体層１０が設けられた領域においては磁性体層１０の直上に位置し、磁性体層１０が設けられていない領域においては基板１１０の直上に位置している。よって、図３に示すように、磁気抵抗素子として機能する領域Ｒと、配線として機能する領域Ｌとの接続部においては、導電層２０は磁性体層１０の直上に位置している。
【００３８】
中点１４０、中点１４１、電源端子(Ｖｃｃ)１４２、接地端子(Ｇｎｄ)１４３および出力端子(Ｏｕｔ)１４４の各々は、基板１１０の直上に位置する導電層２０によって構成されている。
【００３９】
導電層２０の直上には、図示しないＴｉ層が設けられている。磁気抵抗素子および配線を覆うように、ＳｉＯ2などからなる保護層３０が設けられている。
【００４０】
図４は、本発明の実施形態１に係る磁気センサの第１磁気抵抗素子のパターンを示す平面図である。図１，４に示すように、２つの第１磁気抵抗素子１２０ａ，１２０ｂの各々は、平面視にて外形が矩形であるパターン１２０を有する。パターン１２０は、平面視にて、パターン１２０の中心Ｓ0から放射状に延びてパターン１２０の外縁に接近している複数の第１スリットＳ1、および、互いに隣接する第１スリットＳ1同士の間に位置してパターン１２０の外縁からパターン１２０の中心に向かって延びている複数の第２スリットＳ2が設けられていることによって、パターン１２０の外縁と中心との間を交互に向きを変えながらパターン１２０の中心の周りを一周するように繋がっている。
【００４１】
図４に示すように、パターン１２０は、パターン１２０の中心Ｓ0に関して略点対称の形状を有している。すなわち、パターン１２０は、パターン１２０の中心Ｓ0に関して略１８０°回転対称な形状を有している。
【００４２】
本実施形態においては、１６本の第１スリットＳ1が２２．５°間隔で設けられ、１６本の第２スリットＳ2が２２．５°間隔で設けられている。第２スリットＳ2は、互いに隣接する第１スリットＳ1の中間に位置している。第１スリットＳ1および第２スリットＳ2の各々の幅は、互いに同じで均一である。
【００４３】
１６本の第１スリットＳ1の各々において、第１スリットＳ1の延長線上におけるパターン１２０の外形と第１スリットＳ1の先端との間の距離は略等しい。１６本の第２スリットＳ2の各々において、第２スリットＳ2の延長線上におけるパターン１２０の中心Ｓ0と第２スリットＳ2の先端との間の距離は略等しい。
【００４４】
ただし、第１スリットＳ1および第２スリットＳ2の各々の本数、幅、および、長さなどは上記に限られず、たとえば、パターン１２０の中心側から外側に行くにしたがって１６本の第１スリットＳ1の各々の幅が広くなるようにしてもよい。このようにした場合、１本に繋がっているパターン１２０の幅を全体的により均一にして、磁界検出の等方性を向上することができる。
【００４５】
図５は、本発明の実施形態１に係る磁気センサの第２磁気抵抗素子が有するパターンを示す平面図である。図６は、本発明の実施形態１に係る磁気センサの第２磁気抵抗素子が有するパターンに含まれる単位パターンを示す平面図である。なお、図５においては、２つの第２磁気抵抗素子１３０ａ，１３０ｂの各々が有する同一形状の２つのパターン１３０のうちの一方のみを図示している。
【００４６】
図１，５に示すように、２つの第２磁気抵抗素子１３０ａ，１３０ｂの各々においては、複数の曲部を有して折り返した８つの単位パターン１７０を含む同一形状の２つのパターン１３０が直列に接続されている。第２磁気抵抗素子１３０ａにおいては、同一形状の２つのパターン１３０が配線１４７によって互いに接続されている。第２磁気抵抗素子１３０ｂにおいては、同一形状の２つのパターン１３０が配線１５１によって互いに接続されている。これにより、２つの第２磁気抵抗素子１３０ａ，１３０ｂの各々において、必要な電気抵抗値を確保している。２つの第２磁気抵抗素子１３０ａ，１３０ｂの各々の電気抵抗値が高いほど、磁気センサ１００の消費電流を低減できる。
【００４７】
図５に示すように、８つの単位パターン１７０は、仮想円Ｃ1上に配置されて互いに接続されている。図６に示すように、単位パターン１７０は、始端部１７０ａから終端部１７０ｂまでの間に、１４個の曲部Ｂ1〜Ｂ14および１５個の直線状延在部Ｌ1〜Ｌ15を有して、折り返している。すなわち、単位パターン１７０は、始端部１７０ａおよび終端部１７０ｂを口部とした袋状の形状を有している。
【００４８】
本実施形態においては、単位パターン１７０は、１４個の曲部Ｂ1〜Ｂ14の各々において直角に屈曲している。単位パターン１７０は、１０μｍ以上の長さの直線状延在部を含まない。すなわち、１５個の直線状延在部Ｌ1〜Ｌ15の各々の長さは、１０μｍより短い。
【００４９】
ただし、２つの第２磁気抵抗素子１３０ａ，１３０ｂの各々が有するパターンは、上記に限られず、１０μｍ以上の長さの直線状延在部を含まずに複数の曲部を有して折り返した少なくとも１つの単位パターンを含んでいればよい。
【００５０】
磁気抵抗素子の電気抵抗値は、磁気抵抗素子を電流が流れる方向に対して特定の角度で磁界が印加されると、磁気抵抗効果によって変化する。磁気抵抗素子の長手方向の長さが長いほど、磁気抵抗効果が大きくなる。
【００５１】
そのため、２つの第２磁気抵抗素子１３０ａ，１３０ｂの各々が上記のパターンを有することにより、２つの第２磁気抵抗素子１３０ａ，１３０ｂの各々の磁気抵抗効果が抑制されて抵抗変化率が著しく小さくなる。その結果、２つの第２磁気抵抗素子１３０ａ，１３０ｂの各々の抵抗変化率が、２つの第１磁気抵抗素子１２０ａ，１２０ｂの各々の抵抗変化率より小さくなる。
【００５２】
本実施形態に係る磁気センサ１００においては、２つの第１磁気抵抗素子１２０ａ，１２０ｂの各々がパターン１２０を有している。パターン１２０は、パターン１２０の外縁と中心との間を交互に向きを変えながらパターン１２０の中心の周りを一周するように繋がっているため、パターン１２０を流れる電流の向きは、水平方向の略全方位(３６０°)に亘っている。よって、２つの第１磁気抵抗素子１２０ａ，１２０ｂの各々は、水平方向の略全方位(３６０°)に亘って、外部磁界を検出することができる。なお、水平方向は、基板１１０の表面と平行な方向である。
【００５３】
パターン１２０を流れる電流の向きを水平方向において分散させることにより、２つの第１磁気抵抗素子１２０ａ，１２０ｂの各々の磁気抵抗効果の異方性を低減することができる。
【００５４】
パターン１２０は、単位面積当たりの密度が高い形状である。パターン１２０は、パターン１２０の外縁と中心との間を交互に向きを変えながらパターン１２０の中心の周りを一周するように１本に繋がっている。そのため、パターン１２０は、高密度に配置可能、かつ、長さを長くして高抵抗化可能である。
【００５５】
よって、２つの第１磁気抵抗素子１２０ａ，１２０ｂの各々がパターン１２０を有することにより、２つの第１磁気抵抗素子１２０ａ，１２０ｂの各々を高抵抗かつ小形にすることができる。２つの第１磁気抵抗素子１２０ａ，１２０ｂの各々の電気抵抗値が高いほど、磁気センサ１００の消費電流を低減できる。
【００５６】
さらに、パターン１２０は、平面視にて外形が矩形であるため、平面視にて矩形状の基板１１０上に効率よく配置することが可能である。すなわち、基板１１０の外形に合わせてパターン１２０を設けることにより、パターン１２０の周囲が余分なスペースになることを抑制できる。
【００５７】
よって、２つの第１磁気抵抗素子１２０ａ，１２０ｂの各々を小形にしつつ基板１１０上に効率よく配置することにより、磁気センサ１００を小形にすることができる。
【００５８】
本実施形態に係る磁気センサ１００においては、２つの第２磁気抵抗素子１３０ａ，１３０ｂの各々は、１０μｍ以上の長さの直線状延在部を含まずに１４個の曲部Ｂ1〜Ｂ14の各々において直角に屈曲して、始端部１７０ａおよび終端部１７０ｂを口部とした袋状の形状を有する単位パターン１７０を含んでいる。
【００５９】
これにより、単位パターン１７０を流れる電流の向きを水平方向において分散させて、２つの第２磁気抵抗素子１３０ａ，１３０ｂの各々の磁気抵抗効果の異方性を低減することができる。また、外部磁界が０である時の磁気センサ１００の出力が、残留磁化の影響によってばらつくことを抑制することができる。
【００６０】
さらに、複数の単位パターン１７０が仮想円Ｃ1上に配置されていることによって、パターン１３０を流れる電流の向きを水平方向において分散させて、２つの第２磁気抵抗素子１３０ａ，１３０ｂの各々の磁気抵抗効果の異方性を低減することができる。
【００６１】
図７は、本発明の実施形態１に係る磁気センサ１００に対する外部磁界の印加方向を水平方向において２２．５°間隔で０°〜３３７．５°まで変更して、外部磁界の強さと磁気センサ１００の出力との関係を求めた実験結果を示すグラフである。図７においては、縦軸に磁気センサ１００の出力電圧(ｍＶ)、横軸に磁束密度(ｍＴ)を示している。
【００６２】
図７に示すように、本実施形態に係る磁気センサ１００においては、外部磁界の印加方向を水平方向において２２．５°間隔で０°〜３３７．５°まで変更した場合においても、外部磁界の強さと磁気センサ１００の出力との関係に大きな変化は認められなかった。すなわち、本実施形態に係る磁気センサ１００は、磁界検出の等方性が向上していることが確認できた。また、外部磁界が０である時の磁気センサ１００の出力のばらつきが抑制されていることも確認できた。
【００６３】
本実施形態においては、磁気センサ１００は、２つの第１磁気抵抗素子１２０ａ，１２０ｂ、および、２つの第２磁気抵抗素子１３０ａ，１３０ｂを含んでいたが、磁気センサ１００の構成はこれに限られず、第１磁気抵抗素子を少なくとも１つ含んでいればよい。これにより、磁気センサ１００を小形にしつつ磁界検出の等方性を向上できる。また、磁気センサ１００が第２磁気抵抗素子を含む場合には、第２磁気抵抗素子を少なくとも１つ含んでいればよい。
【００６４】
以下、本発明の実施形態２に係る磁気センサについて図を参照して説明する。なお、本実施形態に係る磁気センサは、第２磁気抵抗素子が有するパターンのみ実施形態１に係る磁気センサ１００と異なるため、他の構成については説明を繰り返さない。
【００６５】
(実施形態２)
図８は、本発明の実施形態２に係る磁気センサの第２磁気抵抗素子が有するパターンを示す平面図である。図９は、本発明の実施形態２に係る磁気センサの第２磁気抵抗素子が有するパターンに含まれる単位パターンを示す平面図である。
【００６６】
図８に示すように、本発明の実施形態２に係る磁気センサの２つの第２磁気抵抗素子の各々は、複数の曲部を有して折り返した３２個の単位パターン２７０を含むパターン２３０を有している。
【００６７】
図８に示すように、３２個の単位パターン２７０は、仮想矩形Ｃ2上に配置されて互いに接続されている。なお、複数の単位パターン２７０が、仮想矩形以外の仮想多角形上に配置されていてもよい。
【００６８】
図９に示すように、単位パターン２７０は、始端部２７０ａから終端部２７０ｂまでの間に、１４個の曲部Ｂ1〜Ｂ14および１５個の直線状延在部Ｌ1〜Ｌ15を有して、折り返している。すなわち、単位パターン２７０は、始端部２７０ａおよび終端部２７０ｂを口部とした袋状の形状を有している。
【００６９】
本実施形態においては、単位パターン２７０は、１４個の曲部Ｂ1〜Ｂ14の各々において直角に屈曲している。単位パターン２７０は、１０μｍ以上の長さの直線状延在部を含まない。すなわち、１５個の直線状延在部Ｌ1〜Ｌ15の各々の長さは、１０μｍより短い。
【００７０】
本発明の実施形態２に係る磁気センサにおいては、２つの第２磁気抵抗素子の各々が含む複数の単位パターン２７０が仮想矩形Ｃ2上に配置されていることによって、パターン２３０を流れる電流の向きを水平方向において分散させて、２つの第２磁気抵抗素子の各々の磁気抵抗効果の異方性を低減することができる。
【００７１】
また、平面視にて、パターン２３０の外形が矩形であるため、平面視にて矩形状の基板１１０上に効率よく配置することが可能である。すなわち、基板１１０の外形に合わせてパターン２３０を設けることにより、パターン２３０の周囲が余分なスペースになることを抑制できる。
【００７２】
よって、２つの第２磁気抵抗素子の各々を基板１１０上に効率よく配置することにより、磁気センサ１００を小形にすることができる。
【００７３】
今回開示された実施形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【符号の説明】
【００７４】
１０  磁性体層、２０  導電層、３０  保護層、１００  磁気センサ、１１０  基板、１２０，１３０，２３０  パターン、１２０ａ，１２０ｂ  第１磁気抵抗素子、１３０ａ，１３０ｂ  第２磁気抵抗素子、１４０，１４１  中点、１４５，１４６，１４７，１４８，１４９，１５０，１５１，１５２  配線、１６０  差動増幅器、１６１  温度補償回路、１６２  スイッチ回路、１６３  ドライバ、１７０，２７０  単位パターン、１７０ａ，２７０ａ  始端部、１７０ｂ，２７０ｂ  終端部、Ｂ1〜Ｂ14  曲部、Ｃ1  仮想円、Ｃ2  仮想矩形、Ｌ1〜Ｌ15  直線状延在部、Ｓ0  中心、Ｓ1  第１スリット、Ｓ2  第２スリット。
【図１】
2016013346.tif 000003
【図２】
2016013346.tif 000004
【図３】
2016013346.tif 000005
【図４】
2016013346.tif 000006
【図５】
2016013346.tif 000007
【図６】
2016013346.tif 000008
【図８】
2016013346.tif 000009
【図９】
2016013346.tif 000010
【図７】
2016013346.tif 000011
【国際調査報告】
2016013346.tif 000012
2016013346.tif 000013